(57)【要約】【課題】リフレクタとコーンの好適な組み合わせにより光を制御してランプからの光を有効に利用することでダウンライトを小型化する。【解決手段】光源１２，リフレクタ１４，及び前記リフレクタと同軸に配置される略円筒状のコーンを備え，前記コーンを，内周面を反射面としたコーンリフレクタ２０として形成し，リフレクタの内周面を回転楕円面によって形成する。リフレクタの第１焦点Ｆ１に光源の発光点１２ａを配置し，第２焦点Ｆ２を，コーンリフレクタの中心線Ｃを通りコーンリフレクタの開口縁２１とリフレクタの開口部内周縁１４ｅを結ぶ傾斜角θの基準線Ｌ２とコーンリフレクタの中心線Ｃとの交点Ｚと重なる位置，又は前記交点Ｚよりも上方に配置し，前記コーンリフレクタの内周面を，前記光源の発光点１２ａからの入射光を反射して前記所定の角度θよりも大きな傾斜角の反射光を発生させる放物線の一部を回転させて得た回転面形状とした。【選択図】図２
2010251206.tif 000002
【特許請求の範囲】
【請求項１】
光源と，前記光源の光を下方に向けて反射する碗形状のリフレクタ，及び前記リフレクタの開口部下方において前記リフレクタと同軸に配置される略円筒状のコーンを備えたダウンライトにおいて，
前記コーンを，内周面を反射面としたコーンリフレクタとして形成すると共に，
前記リフレクタの内周面を楕円の長軸を回転中心として回転させて得られる回転楕円面によって形成し，該リフレクタの第１焦点を前記リフレクタの内周面によって囲まれた空間内に配置すると共に，第２焦点を前記コーンリフレクタ内に配置し，
前記コーンリフレクタの中心線と交叉し，かつ，前記コーンリフレクタの下端開口縁と前記リフレクタの開口部内周縁とを結ぶ基準線の傾斜角が所定の角度となるよう前記リフレクタ及びコーンリフレクタを形成すると共に，前記リフレクタの前記第２焦点を前記基準線と前記コーンリフレクタの中心線との交点と重なる位置，又は前記交点に対し下方に配置し，
前記リフレクタの第１焦点に前記光源の発光点を配置し，かつ，前記コーンリフレクタの内周面を，前記光源の発光点からの入射光を反射して前記所定の角度よりも大きな傾斜角の反射光を発生させる放物線の一部を回転させて得た回転面形状としたことを特徴とするダウンライト。
【請求項２】
前記リフレクタの開口部側における内周面の反射が他の部分に比較して拡散させたことを特徴とする請求項１記載のダウンライト。
【請求項３】
前記リフレクタの開口部側における内周面をフロスト加工したことを特徴とする請求項２記載のダウンライト。
【請求項４】
前記リフレクタの内周面にディンプルを形成したことを特徴とする請求項１又は２記載のダウンライト。
【請求項５】
前記リフレクタの前記開口部側における所定範囲に形成するディンプルの径を他の部分に形成するディンプルの径に比較して小さく形成することを特徴とする請求項４記載のダウンライト。
【請求項６】
前記リフレクタの前記開口部側における所定の範囲内に形成する前記ディンプルをランダムに隙間無く形成したことを特徴とする請求項５記載のダウンライト。
【発明の詳細な説明】
【技術分野】
【０００１】
本発明はダウンライトに関し，より詳細には，光源と，この光源の光を下方に向けて反射する碗形状のリフレクタと，前記リフレクタの開口部下方に配置される略円筒状のコーンを備えたダウンライトにおいて，性能を低下させることなく小型化を可能と成すダウンライトの構造に関する。
【背景技術】
【０００２】
従来の一般的なダウンライトの構成は，一例として図７に示すように下向きに開放したカップ状のカバー１１１内に，同様に下向きに開放するカップ状のリフレクタ１１４を収容し，このリフレクタ１１４内に光源であるランプ１１２を配置することで，ランプ１１２が発した光をリフレクタ１１４によって下方に反射させて光を照射することができるように構成されており，天井板１５０に形成した開口１５１内に前記カバー１１１を挿入して，このカバー１１１の開放側端縁に形成されたフランジ状の枠体１３２を開口１５１の周縁に当接させた状態で取り付けることで，このようにダウンライトを天井等に埋め込んだ状態で取り付けることができるように構成されている（特許文献１の図１）。
【０００３】
ここで，このようなダウンライトでは，光源であるランプ１１２の光やリフレクタ１１４からの反射光が直接視野に入ると，この光は不快な眩しさとして感じられることになる。そこで，ダウンライトの下端縁によって遮られた，光の照射範囲外となる部分（図４中の斜線部分）が成す角度θ’（以下，この角度を「カットオフアングル」という。）によって，ダウンライトの遮光特性を表すことが行われている。
【０００４】
ここで，図７を参照して説明したダウンライトにあっては，このカットオフアングルθ’は，カバー１１１の端縁と光源の発光点とを結ぶ線の傾斜によって特定され，リフレクタ１１４の形状やサイズ，カバー１１１やリフレクタ１１４内における光源１１２の配置によって決まるため，これを変更しようとする場合には，ダウンライト全体の設計を見直す必要がある。
【０００５】
そこで，図８に示すように光源であるランプ１１２やリフレクタ１１４をカバー１１１内に収容して形成したダウンライト本体１１０とは別に，リフレクタ１１４の開口部１１４ａ下方に取り付けられる円筒状のコーン１２０を設け，取り付けるコーン１２０の長さにより前述のカットオフアングルθ’を変更することも提案されており，例えばコーン１２０の内周につや消しの黒色塗料を塗布する等して遮光性を持たせ，コーン１２０の中心線Ｃ’と交叉し，かつ，コーン１２０の下端開口縁１２１とリフレクタ１１４の開口部内周縁１１４ｅとを結ぶ線Ｌ２’とコーン１２０の下端縁１２１を通る水平線Ｌ１’との成す角度θ’の範囲に，光が照射されないように構成したダウンライトも提案されている。
【０００６】
更に，このようなコーンを設けたダウンライトとして，カップ状の反射体や，光源，光源を取り付けるためのソケットをカバー内に収容して照明器具本体を一体的なユニットとして形成し，このカバーの開口縁にアダプタを介して円筒状のコーンを着脱可能に取り付けることで，長さの異なるコーンに付け替えることを容易とすることで前述のカットオフアングルθ’を可変としたダウンライトも提案されている（特許文献２）。
【０００７】
この発明の先行技術文献情報としては次のものがある。
【特許文献１】特開２００３−  ４５２０５号公報
【特許文献２】特開２００８−  ３４１８５号公報
【発明の概要】
【発明が解決しようとする課題】
【０００８】
以上のように構成されたダウンライトは，天井板に形成され開口内に挿入されて天井に埋め込まれた状態で取り付けられるものであり，ダウンライトが大型化すればする程，天井に形成する開口も大型化すると共に，天井に設置されたダウンライトの存在が目立つために室内側からの見栄えが悪くなる。
【０００９】
そのため，ダウンライトの存在を目立ち難いものとするために，このようなダウンライトの小型化，特にダウンライトの外形を小型化して，天井に形成する開口を小型化できるようにすることが望まれている。
【００１０】
しかし，ダウンライトの外形を小さくすれば，前述したリフレクタやコーンの内径も必然的に狭まることとなり，また，リフレクタ内に形成される光源の収容空間も狭まることになる。
【００１１】
その結果，ダウンライトを小型化しようとすれば，光源であるランプ等についても小型，低ワット数のものを使用することが必要となり，十分な明るさを確保することが難しくなる。
【００１２】
特に，カットオフアングルθ’の調整を前述のコーンによって行う場合には，コーンの内周面を黒色に塗装する等して遮光性を持たせたコーンバッフルが使用されるために，光源からの光やリフレクタで反射された光のうちコーンバッフルに入射した光は照明として有効に利用されず，この点においても明るさの低下が生じる原因となる。
【００１３】
一方，小型化により狭まったダウンライト本体内の空間に，大型のランプを光源として収容しようとすれば，ランプとリフレクタ間の間隔が狭まる結果，放熱性が低下して過加熱によりランプが破裂，破損するおそれがある。
【００１４】
また，前述のようにランプとリフレクタ間に十分な間隔が確保できないために，リフレクタによって反射された光がランプに遮られる等して明るさが低下し，その結果，必要な明るさが確保できなくなる。
【００１５】
そこで，このようなランプとリフレクタとの間隔が狭まることにより生じる弊害を是正するために，光源であるランプがリフレクタから離れるようにその位置を下方へ移動させることも考えられる。
【００１６】
しかし，光源であるランプを下方に移動させると，ランプが室内側に近付くこととなり，前述したカットオフアングルθ’が狭まってダウンライトの遮光性が低下する。これを防止するためにコーンの長さを延長すれば，ダウンライト全体が大型化すると共に，コーンの延長分，コーンによって遮られ範囲が増えるために明るさが低下する。
【００１７】
なお，このようにコーンによって光を遮ることによる明るさの損失を低減するために，コーンの内周面を鏡面にしたり，白色に塗装する等して，コーン内周面に入射した光についても下方に反射させてこれを照明に利用することも考えられる。
【００１８】
しかし，単純にコーンの内周面を鏡面等としただけでは，コーンによって反射された光の拡散範囲を制御できず，従って，前述のカットオフアングルθ’が定まらなくなる。
【００１９】
そこで，本発明は上記従来技術における欠点を解消するためになされたものであり，光源の位置を下方，従って室内側に近付けるように移動させることなく，リフレクタによる光の反射と，コーンによる光の反射とを組み合わせて光の照射範囲を制御することにより，ランプからの光に損失を生じさせることなく有効に利用することで，ダウンライトを小型化した場合であっても所望の遮光性と明るさを確保することができるダウンライトを提供することを目的とする。
【課題を解決するための手段】
【００２０】
上記目的を達成するために，本発明のダウンライト１は，光源１２と，前記光源１２の光を下方に向けて反射する碗形状のリフレクタ１４，及び前記リフレクタ１４の開口部１４ａ下方において前記リフレクタ１４と同軸に配置される略円筒状のコーンを備えたダウンライトにおいて，
前記コーンを，内周面を反射面としたコーンリフレクタ２０として形成すると共に，
前記リフレクタ１４の内周面を楕円の長軸を回転中心として回転させて得られる回転楕円面によって形成し，該リフレクタ１４の第１焦点Ｆ１を前記リフレクタ１４の内周面によって囲まれた空間内に配置すると共に，第２焦点Ｆ２を前記コーンリフレクタ２０に配置し，
前記コーンリフレクタ２０の中心線Ｃと交叉し，かつ，前記コーンリフレクタ２０の下端開口縁２１と前記リフレクタ１４の開口部内周縁１４ｅとを結ぶ基準線Ｌ２を想定し，該基準線Ｌ２の傾斜角が所定の角度θとなるよう前記リフレクタ１４及びコーンリフレクタ２０を形成すると共に，前記リフレクタ１４の前記第２焦点Ｆ２を前記基準線Ｌ２と前記コーンリフレクタ２０の中心線Ｃとの交点と重なる位置，又は前記交点に対し下方に配置し，
前記リフレクタ１４の第１焦点Ｆ１に前記光源１２の発光点１２ａを配置し，かつ，前記コーンリフレクタ２０の内周面を，前記光源１２の発光点１２ａからの入射光を反射して前記角度θよりも大きな傾斜角の反射光を発生させる放物線の一部を回転させて得た回転面形状としたことを特徴とする（請求項１）。
【００２１】
上記構成のダウンライト１において，前記リフレクタ１４の開口部１４ａ側における内周面の反射を他の部分に比較してより拡散させるものとすることができ（請求項２），この構成として，前記リフレクタ１４の開口部１４ａ側における内周面をフロスト加工しても良い（請求項３）。
【００２２】
また，前記リフレクタ１４の内周面にはディンプル１６を形成するものとしても良く（請求項４），前記リフレクタ１４の前記開口部１４ａ側における所定範囲Ｄに形成するディンプル１６ｂの径を他の部分に形成するディンプル１６ａの径に比較して小さく形成するものとしても良い（請求項５）。
【００２３】
また，前記リフレクタ１４の前記開口部１４ａ側に形成するディンプル１６ｂについては，これをランダムに隙間無く形成することができる（請求項６）。
【発明の効果】
【００２４】
以上で説明した本発明の構成により，本発明のダウンライト１によれば，以下の顕著な効果を得ることができた。
【００２５】
リフレクタ１４及びコーンリフレクタ２０を前述した構造として形成すると共に，光源１２，リフレクタ１４及びコーンリフレクタ２０を，前述した関係となるように配置することで，コーンリフレクタ２０の内周面によって反射された光についてもコーンリフレクタ２０の開口部下端を通る中心線Ｃとの直交線Ｌ１と，基準線Ｌ２間に形成された角度θの範囲（図２中の斜線部分）の範囲に照射されることなく下方に向けて照射することができた。
【００２６】
その結果，光源１２からの直接光やリフレクタ１４によって反射された光源からの光のみならず，コーンリフレクタ２０の内周面に入射した光についても照明に有効に利用することができた。
【００２７】
このように，コーンリフレクタ２０によって反射された光をも照明に有効に利用できるものとしたことから，遮光性を犠牲にすることなく，従来のものに比較してダウンライトを小型化した場合であっても同等以上の明るさを得ることができ，天井板５０に形成する開口５１を小さくすることができ，室内側より見た際の見栄えが良いダウンライトを提供することができた。
【００２８】
また，リフレクタ１４の開口部１４ａ側における内周面の反射を拡散させることにより，及び／又はリフレクタ１４の内周面にディンプル１６を形成した構成にあっては，照射範囲内において光を均等に放散させることにより，スカラップ等のない美しい光を照射することのできるダウンライト１を提供することができた。
【００２９】
このような反射の拡散は，リフレクタ１４の開口側をフロスト加工することにより得ることができ，このフロスト加工は前記ディンプル１６の形成と共に行うことによりより一層光の放散を均一化させることができた。
【００３０】
また，リフレクタ１４の内面に形成したディンプルを，リフレクタ１４の開口部１４ａ側において他の部分に比較して径を小さく形成することによっても，同様に光を均等に放散させることができた。
【００３１】
この開口部１４ａ側に形成した小径のディンプル１６ｂについては，これを例えばポンチ等を使用して手打ちによりランダムに隙間無く形成することで，より均一な光の放散を得ることができた。
【図面の簡単な説明】
【００３２】
【図１】本発明のダウンライトの取付状態を示す概略断面図。
【図２】リフレクタ，コーンリフレクタ，及び光源の位置関係を示した説明図。
【図３】コーンリフレクタの内周面に形成される回転面形状の説明図であり，この回転面形状が，（Ａ）の放物線の対称軸を，（Ｂ）に示すように角度θで傾斜させ，（Ｃ）に示すように回転軸Ｘを中心に回転させることで得られることを説明したもの。
【図４】光源からの光のうちリフレクタで反射された光の照射範囲を示す説明図。
【図５】光源からの光のうちリフレクタ及びコーンリフレクタにより反射されない光の照射範囲を示す説明図。
【図６】光源からの光のうちコーンリフレクタで反射された光の照射範囲を示す説明図。
【図７】従来のダウンライトの要部断面図。
【図８】従来のダウンライト（コーンを備えたもの）の要部断面図。
【発明を実施するための形態】
【００３３】
次に，添付図面を参照しながら本発明のダウンライトについて説明する。
【００３４】
図１において符号１は本発明のダウンライトであり，このダウンライト１は，天井板５０に形成された開口５１内にリング状の取付具３０を介して嵌合，固定されている。
【００３５】
この取付具３０は，略円筒状に形成された円筒部３１と，この円筒部３１の一端開口縁より外周方向に突出したフランジ部３２を備えており，この取付具３０の円筒部３１を天井板に形成された開口５１内に，室内側よりフランジ部３２が天井板５０に当たる迄挿入すると，板バネ等によって形成された支持脚３３が天井板５０の裏側において開口５１の周縁に係止され，この支持脚３３により，又はこの支持脚３３に加え，前記取付具３０を天井板５０にネジ止め等することにより，天井板５０に形成された開口５１内に固定されている。
【００３６】
この取付具３０の円筒部３１は，前述のダウンライト１を挿入可能な内径に形成されていると共に，室内側よりダウンライト１を挿入すると，このダウンライト１に設けた後述のコーンリフレクタ２０の外周を係止して円筒部３１内にダウンライト１を支持することができるよう構成されている。
【００３７】
前述の取付具３０によって天井板５０に形成した開口５１内に取り付けられる本発明のダウンライト１は，ダウンライト本体１０と，このダウンライト本体１０の下端に取り付けられたコーンリフレクタ２０によって構成されている。
【００３８】
このダウンライト本体１０は，ダウンライト本体１０の外殻を成すカバー１１内に，光源であるランプ１２が取り付けられたソケット１３と，前記光源１２より照射された光を反射するリフレクタ１４を収容して形成したものであり，前記カバー１０の下端側に設けた開口において前記リフレクタの開口部１４ａを開口させて収容すると共に，該カバー１１の上端側よりランプ１２が取り付けられたソケット１３を挿入することで，リフレクタ１４の後端に形成された挿入穴１４ｂよりランプ１２がリフレクタ１４内に挿入されるように構成されている。
【００３９】
このリフレクタ１４は，楕円の長軸を回転中心として回転させた際に得られる回転面形状によってその内周面が形成された楕円リフレクタであり，この内周面を反射面に加工することで，ランプ１２からの光を室内側に向けて反射することができるように構成されている。
【００４０】
このリフレクタ１４の内周面は，例えばクロムメッキ等によって鏡面に形成されていても良く，また，アルミの素地などによって前記鏡面に比較して反射を拡散する表面として形成されていても良く，更には内周面の全体にディンプル１６を形成する等しても良い。
【００４１】
好ましくは，このリフレクタ１４の内面であって，前記開口部１４ａ側から所定の深さの範囲Ｄ（図４参照）の部分の反射を，他の部分に比較してより拡散させるものとして，光の照射範囲内において明るさに偏りが生じることがないように光を均等に放散し，これにより例えば床面等に投影された照射光の輪郭内において光の濃淡が生じたり，又は輪郭の外周側に生じる不必要な明るさの発生を防止することでスカラップの発生を防止し，輪郭内に照射された光が輪郭内のいずれの部分においても略均一な明るさとなる美しい光の照射範囲を作り出すことができるようにしている。
【００４２】
このような反射の拡散は，例えば前述した範囲Ｄの内面にフロスト加工を施す等して，鏡面等に形成された他の部分に対して反射を拡散させるものとしても良く，また，内周面の全体に同一径のディンプルを形成すると共に，前述の部分Ｄに対し，ディンプルの形成に加えてフロスト加工を行うものとしても良い。
【００４３】
更に，リフレクタ１４の内周面にディンプル１６を形成する場合，図４に示すように前記リフレクタ１４の内周面全体にディンプルを形成し，このディンプルの径及び深さを，開口部１４ａ側における所定の範囲Ｄにおいて他の部分に形成したディンプル１６ａに比較して径の小さなディンプル１６ｂを形成するものとしても良い。
【００４４】
このようなディンプル１６（１６ａ，１６ｂ）の形成は，例えばポンチ打ち等によって形成することができ，例えば小径側のディンプル１６ｂについては，これをポンチ等を使用した手打ちによって，ランダムに好ましくは隙間無く形成することができる。
【００４５】
一例として図示の実施形態にあっては，大径側のディンプル１６ａの形状をＲ８mm，φ３mmに形成し，小径側のディンプル１６ｂの形状をＲ８mm，φ１．５mmに形成した。
【００４６】
この反射の拡散をもたらす反射面を形成し，及び／又は小径のディンプル１６ｂを形成する範囲Ｄは，使用する光源１２やリフレクタ１４のサイズ等，個々のダウンライトの特性に応じて変更可能であるが，図示の実施形態にあっては，リフレクタ１４の深さ（開口部１４ａと挿入穴１４ｂの下端間の距離）の１／２に対して僅かに大きな範囲で形成している。
【００４７】
以上のように構成されたダウンライト本体１０の下方には，略円筒状に形成されたコーンリフレクタ２０が取り付けられている。
【００４８】
このコーンリフレクタ２０は，上端開口部が，前記リフレクタ１４の開口部１４ａと略同径乃至は僅かに小さな内径を有する全体として略円筒状に形成されており，コーンリフレクタ２０の下端開口縁２１を通り，コーンリフレクタ２０の中心線Ｃと交叉してリフレクタ１４の開口縁１４ｅに至る基準線Ｌ２が，所定の角度θとなるようにその形状及び配置が特定されている。
【００４９】
このコーンリフレクタ２０の内面は，リフレクタ１４からの反射光が入射された際，これを反射して，図２中に斜線部分で示したカットオフアングルθの範囲を除くダウンライト１の下方（基準線Ｌ２−Ｌ２間の範囲）内で拡散することができるよう，鏡面や，白色塗料の塗布面等により比較的反射率の高い状態に加工されていると共に，その内周面形状を，放物線の一部分を回転させて得た回転面によって形成されている。
【００５０】
この回転面を構成する放物線の一部分は，前述したリフレクタ１４の第１焦点Ｆ１に配置された光源１２の発光点１２ａからの光の入射を受けた際に，放物線の一部分におけるいずれの位置に光が入射された場合であっても，これを反射して前述の角度θ以上の傾斜角の反射光を生成することができるものとして構成されている。
【００５１】
この回転面形状を判り易く説明するために，図３を参照しながらその一例を説明するが，本発明のダウンライト１に設けられるコーンリフレクタ２０の内周面形状と成る回転面形状は以下に説明する形状に限定されず，光源からの光が，放物面のいずれの位置に入射された場合であっても，これを反射して傾斜角θ以上の傾斜角の反射光を生成できるものであれば，図示の例に限定されない。
【００５２】
図示の例では，先ず，形成するコーンリフレクタ２０のサイズ等に対応した所定の放物線が作成される〔図３（Ａ）〕。
【００５３】
次いでこの放物線の対称軸を，前述した所定の角度θとして設定すべき角度で傾斜させた状態を想定する〔図３（Ｂ）〕。
【００５４】
そして，このように対称軸を傾斜させた放物線のうち，光源１２の発光点１２ａが配置されるリフレクタ１４の第１焦点Ｆ１からの光の入射を受けた際，傾斜角θ以上の傾斜角を持つ反射光を発生し得る範囲〔図３（Ｃ）において，放物線の焦点Ｆｐ及びリフレクタ１４の第１焦点Ｆ１を通る直線と，放物線との交点に対し，図中下側の範囲〕のうちの一部〔例えば図３（Ｃ）中の点ａ−ｂ間〕を，傾斜させた前記対称軸に対して９０−θの角度で交わる回転中心軸Ｘ（コーンリフレクタ２０の中心軸Ｃと同じ）を中心に回転させて得られる回転面形状〔図３（Ｃ）〕によって，コーンリフレクタ２０の内周面を形成する。
【００５５】
以上のように構成されたダウンライト本体１０及びコーンリフレクタ２０を備えた本発明のダウンライト１では，図２に示すように光源であるランプ１２は，その発光点１２ａが前記リフレクタ１４内に存在する第１焦点Ｆ１に配置されると共に，リフレクタ１４の中心線とコーンリフレクタ２０の中心線Ｃとが同心となるように配置する。
【００５６】
従って，前記リフレクタ１４の第１焦点に，光源であるランプ１２の発光点１２ａを配置した上記構成にあっては，リフレクタ１４によって反射された光源１２からの光は，第２焦点Ｆ２に集束して下方に向けて反射されることになる。
【００５７】
リフレクタ１４の第２焦点Ｆ２を交点Ｚよりも下方に位置する場合には，リフレクタ１４によって反射され，焦点Ｆ２を通過して下方に向かって広がる光はコーンリフレクタ２０の内面に入射されることなく，コーンリフレクタ２０の下端開口より下方に向かって照射される（図４参照）。
【００５８】
図４においてリフレクタ１４の開口部１４ａにおける内周縁１４ｅと，リフレクタ１４の第２焦点Ｆ２を通る直線Ｒ１，Ｒ１が，リフレクタ１４による反射光の最大照射範囲を表す線となるが，図４からも明らかなようにリフレクタ１４の反射光は，コーンリフレクタ２０の内周面に入射されることなく，かつ，図中に斜線で示す角度θ（本実施例において３０°）の範囲内に照射されることなしに，コーンリフレクタ２０の下端開口部を介して室内側に照射される。
【００５９】
一方，この第２焦点Ｆ２が基準線Ｌ２と中心線Ｃとの交点Ｚと重なる位置となる場合には，直線Ｒ１，Ｒ１が基準線Ｌ２と重なり，同様にリフレクタ１４の反射光はコーンリフレクタ２０の内周面に入射されることなく，かつ，図中に斜線で示す角度θ（本実施例において３０°）の範囲内に照射されることなしに，コーンリフレクタ２０の下端開口部を介して室内側に照射される。
【００６０】
このようにして照射される光は，いずれも基準線Ｌ２，Ｌ２の範囲内にあり，予め設定した角度θの範囲内には拡散しないことからダウンライト１の遮光特性を一定値以上に維持することができる。
【００６１】
また，図５に示すように，リフレクタ１４によって反射されることなく，光源であるランプ１２より直接下方に向かって照射された光の一部は，コーンリフレクタ２０の内周面に衝突することなく直接コーンリフレクタ２０の下端開口を通過して下方に照射される。ここで，前述した各部の配置により，光源１２の発光点１２ａは交点Ｚに対して上方に配置されているため，この照射光が予め設定した所定の角度θの範囲（図５中の斜線部分）に広がることはない。
【００６２】
更に，図６に示すように光源１２から照射された光のうち，反射面として形成されたコーンリフレクタ２０の内周面に入射した光は，この内周面に反射されて照射されることとなるが，図２に示す断面のように放物線によって形成されたコーンにリフレクタ２０の内周面によって反射された反射光は，コーンリフレクタ２０の内周面のいずれの位置によって反射された場合であっても放物線の対称軸の傾きθよりも大きな傾斜角でコーンリフレクタ２０の下端開口部に向けて反射される。
【００６３】
その結果，予め設定した角度θの範囲に反射光が照射されることを防止しつつ，コーンリフレクタ２０の内面による反射光の制御を行うことが可能となり，コーンリフレクタの内周面で反射させた光についても室内側に向けて照射して照明に有効に利用できることから，光源からの光を効率良く利用でき，ダウンライトの小型化に拘わらず必要な明るさが確保できるものとなっている。
【符号の説明】
【００６４】
１  ダウンライト
１０  ダウンライト本体
１１  カバー
１２  光源（ランプ）
１２ａ  発光点
１３  ソケット
１４  リフレクタ
１４ａ  開口部
１４ｂ  挿入穴
１４ｅ  開口部内周縁
１６  ディンプル
１６ａ  ディンプル（大径）
１６ｂ  ディンプル（小径）
２０  コーンリフレクタ（コーン）
２１  下端開口縁
３０  取付具
３１  円筒部
３２  フランジ部
３３  支持脚
５０  天井板
５１  開口
Ｃ，Ｃ’  コーンリフレクタの中心線
Ｌ１  直交線
Ｌ２，Ｌ２’基準線
Ｒ１  直線
Ｚ  中心線Ｃと基準線の２の交点
Ｘ  回転中心軸（コーンリフレクタの内周面である回転面の）
Ｆ１  第１焦点（コーンリフレクタの）
Ｆ２  第２焦点（コーンリフレクタの）
Ｆｐ  放物線の焦点
θ  カットオフアングル
１１０  ダウンライト本体
１１１  カバー
１１２  光源（ランプ）
１１３  ソケット
１１４  リフレクタ
１１４ａ  開口部（リフレクタの）
１３２  枠体
１５０  天井板
１５１  開口
【図１】
2010251206.tif 000003
【図２】
2010251206.tif 000004
【図３】
2010251206.tif 000005
【図４】
2010251206.tif 000006
【図５】
2010251206.tif 000007
【図６】
2010251206.tif 000008
【図７】
2010251206.tif 000009
【図８】
2010251206.tif 000010